(57)【要約】      （修正有）【課題】端子とケースアセンブリの間に絶縁断熱性の保護パネルを設置することにより、端子アセンブリで発生する高温と電気火花がケースアセンブリを着火させることを避け、火事の発生を防止することができ、製品の信頼性を高めたソケットを提供する。【解決手段】ソケットは、内部に導電性端子２００が設置され、一端面には挿入孔１１１が開かれているケースアセンブリ１００を含み、上記ケースアセンブリの内部には、上記導電性端子と、ケースアセンブリにおける挿入孔が開かれている端面との間に設置された絶縁断熱性の保護パネル３００が設置され、上記保護パネルには上記挿入孔と対応するスルーホールが開かれている。【選択図】図２
0003169343.tif 000002
【実用新案登録請求の範囲】
【請求項１】
内部に導電性端子が設置され、一端面には挿入孔が開かれているケースアセンブリを含むソケットであって、
前記ケースアセンブリの内部には、前記導電性端子と、ケースアセンブリにおける挿入孔が開かれている端面との間に設置された絶縁断熱性の保護パネルが設置されており、
前記保護パネルは、前記挿入孔内に延長し且つ前記挿入孔の内側壁とマッチングする、中央に前記挿入孔と対応するスルーホールが開かれている凸リングが突設された基板を含むことを特徴とするソケット。
【請求項２】
前記保護パネルは陶器であることを特徴とする請求項１に記載のソケット。
【請求項３】
前記挿入孔は少なくとも二つの組に設置され、毎組の前記挿入孔には、みな一つの保護パネルが設置されていることを特徴とする請求項１に記載のソケット。
【請求項４】
前記ケースアセンブリは、フロントケースとエンドカバーを含み、前記挿入孔は前記フロントケースの上端に開かれ、前記フロントケースの下端は開口として設置され、前記エンドカバーは前記フロントケースの下端に固定して接続され、前記導電性端子と保護パネルを収納できる内室を形成することを特徴とする請求項１に記載のソケット。
【請求項５】
前記ケースアセンブリには、前記導電性端子に電気的に接続されたスイッチコンポーネントが設置されることを特徴とする請求項１に記載のソケット。
【考案の詳細な説明】
【技術分野】
【０００１】
本考案は、ソケット構造の技術分野に属し、特に信頼性が高いソケットに関する。
【背景技術】
【０００２】
従来のソケットにおいて、そのケースアセンブリはみな絶縁性の高いプラスチック材料で作られる。挿入孔は、負荷が挿入されてから、使用する過程において、過負荷、短絡などの原因に従って、家電のプラグとソケット内の導電性端子とが接触する箇所で、高温又はスパークを発生させ、ケースアセンブリのプラスチックを容易に着火させて、更に火事が起こる可能性があり、製品の信頼性が低い。
【考案の概要】
【考案が解決しようとする課題】
【０００３】
本考案の目的は、上記従来技術の欠陥を鑑みて、端子アセンブリで発生する高温と電気火花がケースアセンブリを着火させることを避け、火事の発生を防止することができ、製品の信頼性が高いソケットを提供することである。
【課題を解決するための手段】
【０００４】
本考案は、以下により実現される。即ち、内部に導電性端子が設置され、一端面には挿入孔が開かれているケースアセンブリを含むソケットにおいて、前記ケースアセンブリの内部には、前記導電性端子と、ケースアセンブリにおける挿入孔が開かれている端面との間に設置された絶縁断熱性の保護パネルが設置されており、前記保護パネルは、前記挿入孔内に延長し且つ前記挿入孔の内側壁とマッチングする中央に前記挿入孔と対応するスルーホールが開かれている凸リングが突設された基板を含む。
【０００５】
具体的には、上記保護パネルは、上記挿入孔内に延長し且つ上記挿入孔の内側壁とマッチングする凸リングが突設されている基板を含み、上記スルーホールは上記凸部の中央に開かれている。
【０００６】
好ましくは、前記保護パネルは、陶器である。
【０００７】
具体的には、前記挿入孔は少なくとも二つの組に設置され、それぞれの組の前記挿入孔には、保護パネルが設置されている。
【０００８】
具体的には、前記ケースアセンブリは、フロントケースとエンドカバーを含み、前記挿入孔は前記フロントケースの上端に開かれ、前記フロントケースの下端は開口として設置され、前記エンドカバーは前記フロントケースの下端に固定して接続され、前記導電性端子と保護パネルを収納できる内室を形成する。
【０００９】
更に、前記ケースアセンブリには、前記導電性端子に電気的に接続されたスイッチコンポーネントが設置されている。
【考案の効果】
【００１０】
本考案に係るソケットは、導電性端子とケースアセンブリとの間に、絶縁断熱性の保護パネルを設置することによって、端子アセンブリで発生する高温と電気火花がケースアセンブリを着火させることを避け、火事の発生を防止することができ、製品の信頼性が高い。
【図面の簡単な説明】
【００１１】
【図１】本考案に係るソケットの組み立て状態を示す斜視図である。
【図２】本考案に係るソケットを示す分解斜視図である。
【図３】本考案に係るソケットの保護パネルを示す斜視図である。
【考案を実施するための形態】
【００１２】
以下、本考案の目的、技術内容及び利点をより明確にするために、図面と実施例を結合して、本考案に対して更に詳しく説明する。ここに記載された具体的な実施例は、ただ本考案を解釈するものであって、本考案を限定しないことが理解されるべきである。
【００１３】
図１と図２に示すように、本考案に係る実施例が提供するソケットは、その内部に導電性端子２００が設置される。導電性端子２００には電線２１０が接続される。電線２１０には、プラグコンポーネント２２０が接続される。このソケットは、ケースアセンブリ１００を含む。上記ケースアセンブリ１００の一端面には、家電のプラグ上のピンが挿設されるように挿入孔１１１が開かれる。上記ケースアセンブリ１００内には、更に、絶縁断熱性の保護パネル３００が設置される。上記保護パネル３００は、上記導電性端子２００と、ケースアセンブリ１００における挿入孔１１１が開かれている端面との間に設置される。上記保護パネル３００には、上記挿入孔１１１と対応するスルーホール３０３が開かれている。このような設計によって、短絡或いは家電製品の過負荷などの場合でも、家電のプラグと導電性端子２００とが接触する箇所で発生する電気火花は、ケースアセンブリ１００を着火させず、ケースアセンブリ１００に火事が起こることを防止して、潜在的な事故を防ぐため、製品の信頼性が高くなる。
【００１４】
具体的には、本考案の一つの実施例として、図２と図３に示すように、上記保護パネル３００は基板３０１を含む。上記基板３０１上には、上記挿入孔１１１内に延長し且つ上記挿入孔１１１の内側壁とマッチングする凸リング３０２が突設される。凸リング３０２はケースアセンブリ１００の上端面と並行してもよく、ケースアセンブリ１００の上端面よりわずかに低いまたはわずかに高くしてもよく、いずれも本考案の保護範囲に属する。上記スルーホール３０３は、上記凸リング３０２の中央に開かれている。これらの設置によって、保護パネル３００を確実に挿入孔１１１に位置決めさせ、任意にスライディングしないようにして、製品の構造が安定する。また、凸リング３０２を設置することによって、保護パネル３００に対して補強作用があって、製品が安全性テストにおける衝撃試験を通過することを保証して、製品の信頼性が高くなる。基板３０１はフラットプレート状であってもよく、溝状或いは他の適切な形状であってもよく、ケースアセンブリ１００の側壁を保護して、電気火花によって着火されないようにする。
【００１５】
本考案の一つの実施例として、好ましくは、上記保護パネル３００は陶器であり、絶縁であるだけでなく、且つ耐熱断熱であるから、製品の安全性と信頼性を保証するのに役立つ。
【００１６】
具体的には、本考案の一つの実施例として、図１及び図２に示すように、上記挿入孔１１１は少なくとも二つの組に設置される。本実施例においては、各組は３個の挿入孔１１１を含む。毎組には１つのプラグを挿設することができる。毎組の上記挿入孔１１１の箇所にはみな１つの保護パネル３００が設置される。このような設計によって、第１組の挿入孔１１１にはみな１つの個別な保護パネル３００が設置され、構造の信頼性が高くなる。且つこのような設計によって、保護パネル３００の通用性を高めることができる。異なるソケットには異なる挿入孔１１１の組数が設置されているため、その配列の構造も異なる。各々保護パネル３００を１つの挿入孔１１１に対応させることによって、且つ挿入孔１１１は標準サイズであるため、ソケットの大きさが異なっても、設置された数量によって相応な数量の保護パネル３００をケースアセンブリ１００内に取り付けることができる。多くの金型を作る必要がなくて、生産、倉庫管理などの部門に便利を与え、製品の生産コストを低減させ、市場での製品の競争力を向上するのに役立つ。なお、保護パネル３００を全体に設置することもでき、みな本考案の保護範囲に属する。
【００１７】
具体的には、本考案の一つの実施例として、図１と図２に示すように、上記ケースアセンブリ１００はフロントケース１１０とエンドカバー１２０を含む。上記挿入孔１１１は上記フロントケース１１０の上端に開かれる。上記フロントケース１１０の下端は開口として設置される。上記エンドカバー１２０は上記フロントケース１１０の下端に固定して接続され、上記導電性端子２００と保護パネル３００を収納できる内室を形成する。エンドカバー１２０はフロントケース１１０に接着され、或いはネジ等のロック部品によってロッキングする方式でフロントケース１１０に固定されてもよく、組み立てがとても便利である。
【００１８】
更には、本考案の一つの実施例として、図１と図２に示すように、上記ケースアセンブリ１００上には、スイッチコンポーネント４００が設置され、上記スイッチコンポーネント４００は上記導電性端子２００に電気的に接続される。使用者はいつでも導電性端子２００の電源をオフ或いはオンすることができて、簡単に使用できる。
【００１９】
更には、本考案の一つの実施例として、導電性端子２００とエンドカバー１２０との間には、エンドカバー１２０が導電性端子２００で発生する電気火花によって着火されないように、陶器材料で作られた保護パネル３００を設置することができ、製品の信頼性が高い。
【００２０】
以上は、ただ本考案の好ましい実施例であり、本考案を限定することはなく、本考案の精神と原則内で行う任意な補正、等価交換及び改良などはみな本考案の保護範囲内に属する。
【図１】
0003169343.tif 000003
【図２】
0003169343.tif 000004
【図３】
0003169343.tif 000005